(57)【特許請求の範囲】
【請求項１】
路面における開口部の一端側に配置する基礎部材と、基礎部材に連設する安全ブロックの取り付け部材から成る安全ブロック取付具と、路面における開口部の他端側に配置する基礎部材と、基礎部材に連設する手摺部材から成る手摺治具と、路面における開口部間に配置されて、安全ブロック取付具の基礎部材と手摺治具の基礎部材を突っ張り状態にして固定するジャッキベース部材から構成され、安全ブロック取付具と手摺治具の基礎部材は、いずれも、台座板と、台座板の上面に固定した棒状体と、台座板の側面から下方に向けて延設した垂下板から形成され、路面における開口部の角部に、安全ブロック取付具の基礎部材と、手摺治具の基礎部材を対向するように設置し、両基礎部材の垂下板に、ジャッキベース部材の端部を圧接していることを特徴とする安全ブロック取付治具。
【請求項２】
基礎部材の垂下板は、路面の開口部におけるアスファルト層を超えて路盤層に到達する長さを備えている請求項１に記載の安全ブロック取付治具。
【請求項３】
安全ブロックの取り付け部材は、所定の長さの垂設部材と、垂設部材の上端部に連設した横架部材から形成され、垂設部材の下端部分には、基礎部材を形成する棒状体を導入する長孔を有し、横架部材の先端部分には、安全ブロックの取付部を有する請求項１または２に記載の安全ブロック取付治具。
【請求項４】
安全ブロックの取り付け部材は、安全ブロックの取付部に安全ブロックを吊り下げたとき、安全ブロックから引き出されているワイヤロープのフックが、作業員の装着している安全ベルトの部分に位置する高さを備えている請求項３に記載の安全ブロック取付治具。
【請求項５】
手摺治具の手摺部材は、所定の長さの垂設部材と、垂設部材に固定したコ字枠部材により全体として長方形となる枠状に形成され、垂設部材の下端部分には、基礎部材を形成する棒状体を導入する長孔を有し、垂設部材のコ字枠部材には、棒状の掴み部材を設けている請求項１乃至４のいずれかに記載の安全ブロック取付治具。
【請求項６】
安全ブロック取付具の垂設部材と、手摺治具の垂設部材を、棒状の補強杆により接続している請求項５に記載の安全ブロック取付治具。
【発明の詳細な説明】
【技術分野】
【０００１】
本発明は、路面において所定の掘削工事を実施している場合に、路面の開口部に安全ブロックを取り付けるための、安全ブロック取付治具に関するものである。
【背景技術】
【０００２】
路面において、種々の管路を地中に設置する等の管路工事を実施する場合には、当該路面に掘削工事を行うことが多い。
【０００３】
この掘削工事は、現場に応じて様々な施工を実施するものであるが、一般的には、下記のような施工の工程を段階的に実施するものである。
【０００４】
Ａ.掘削する箇所の舗装を切断する舗装切断工程
Ｂ.舗装を撤去して所定の深さまで掘削する掘削工程
Ｃ.掘削した地中に管路等を設置する管等の布設工程
Ｄ.掘削した部分に土を入れて点圧しながら埋め戻す掘削箇所の埋め戻し工程
Ｅ.路面を舗装する路面復旧工程
【０００５】
この様な掘削工事において、地中側で作業を実施する作業員Ｓは、図１５に示すように、路面の開口部１０１に梯子１０２を立て掛け、この梯子１０２を介して地中側に降りていた。
【０００６】
しかし、この様な梯子１０２だけを介して作業員Ｓが昇降すると、作業員Ｓが足を滑らせる等して、誤って梯子１０２から落下してしまう危険性がある。その為、作業員Ｓの落下防止対策として、路面の開口部１０１側に、安全ブロック１０３を設置することが望まれている。
【０００７】
この安全ブロック１０３は、作業員Ｓが梯子１０２を介して昇降しているときに、足を滑らせる等して落下しそうになった場合であっても、その落下を阻止して、事故の発生を未然に防止するものである。
【０００８】
一般的な安全ブロック１０３は、例えば、図１６に示すように、ケース本体１０５と、このケース本体１０５内から引き出されているワイヤロープ１０４から構成されている。
【０００９】
ワイヤロープ１０４は、ケース本体１０５内に収容されている所定のドラムに巻回されており、ドラムの回転によるケース本体１０５内からの引き出しと、ケース本体１０５内への引き戻しが自在となっている。
【００１０】
このワイヤロープ１０４の先端部には、作業員Ｓが装着している安全ベルト１１２に掛け止めするフック１０６が取り付けられている。また、ケース本体１０５の上部には、固定リング１０７が取り付けられている。
【００１１】
この安全ブロック１０３は、作業員Ｓが通常の速さで梯子１０２を昇降しているときには、ワイヤロープ１０４がケース本体１０５から自動的に引き出され、また、ケース本体１０５に引き戻されて、作業員Ｓの昇降時にワイヤロープ１０４が邪魔にならないようにしている。
【００１２】
しかし、作業者が何らかの原因により梯子１０２から落下して、ワイヤロープ１０４がケース本体１０５から勢い良く引き出されるような事態が生じると、ケース本体１０５は、例えば、ワイヤロープ１０４が約２５ｃｍ程度引き出された時点でワイヤロープ１０４の送り出しを停止して、作業員Ｓのそれ以上の落下を阻止するように作動するのである。
【００１３】
この様に、安全ブロック１０３は、梯子１０２を介した昇降時における作業員Ｓの安全を確保するための手段として必要不可欠のものであるが、例えば、図１５に示すように、路面の開口部１０１においては、安全ブロック１０３を開口部１０１の上方に吊り下げるようにして設置するのに好ましい場所が存在していない。
【００１４】
そのため、作業現場においては、例えば、図１７に示すように、路面の開口部１０１の周囲に柵を設ける措置が採られている。
【００１５】
この柵は、例えば、路面の開口部１０１の周囲に複数の立設柱１０８を固定し、所定のクランプ１０９を介して、各立設柱１０８間に横架材１１０を取り付けて形成されている。横架材１１０は、例えば、所定の間隔を開けて上下の２段に配置されている。
【００１６】
そして、上側の横架材１１０に梯子１０２の上端部分を立て掛けて、所定のベルト部材１１１を用いて、梯子１０２を上側の横架材１１０に固定している。この様な状況において、例えば、図１８に示すように、梯子１０２の近傍に位置している上側の横架材１１０に安全ブロック１０３の固定リング１０７を掛け止めして、安全ブロック１０３を横架材１１０に吊り下げるようにして設置しているのである。
【００１７】
作業員Ｓは、梯子１０２を昇降するとき、図１８に示すように、安全ブロック１０３からワイヤロープ１０４を引き出し、自らが装着している安全ベルト１１２にフック１０６を掛け止めして、自身の安全を確保しているのである。
【００１８】
この他、図１９に示すように、ＰＣ床板２００上に親綱２０３を配置し、この親綱２０３に安全帯を取り付ける手法が存在している。具体的には、ＰＣ床板２００上に、ボルト部材２０１を利用して複数の柱体２０２を固定し、各柱体２０２の上端部に親綱２０３を結び付けて、この親綱２０３に安全帯を取り付けるのである。
【先行技術文献】
【特許文献】
【００１９】
【特許文献１】特開平１０−７２９３９号公報
【発明の概要】
【発明が解決しようとする課題】
【００２０】
しかしながら、図１８に示す従来の安全ブロック１０３の設置手法においては、以下のような弊害が生じている。
【００２１】
従来の安全ブロック１０３の設置手法は、柵を形成する部材である上側の横架材１１０に安全ブロック１０３の固定リング１０７を掛け止めすることから、作業員Ｓが梯子１０２側に移動するときに、柵を形成する横架材１１０が邪魔になってしまう。
【００２２】
その為、作業員Ｓは足を上げて上側の横架材１１０を跨いだり、また、体を屈めて上下の２段に配置されている横架材１１０の間を潜るしかなく、不自然な体勢を強いられることから、作業員Ｓが疲労してしまう要因となっていた。
【００２３】
また、柵の内側が路面の開口部１０１となっているため、作業員Ｓが不自然な体勢を強いられた状態で柵の内側に位置している梯子１０２を手で掴んだり、足を掛けるときに、誤って落下してしまう危険性がある。
【００２４】
さらに、梯子１０２を昇ってきた作業員Ｓが柵の外側（路面側）に降りるときも、作業員Ｓは梯子１０２に手や足を掛けている不安定な状態にありながら足を上げて上側の横架材１１０を跨いだり、また、体を屈めて横架材１１０の間を潜らなければならないため、作業員Ｓの疲労が増していた。
【００２５】
加えて、作業員Ｓが梯子１０２側に移動するとき、また、作業員Ｓが梯子１０２から離れるときに慎重な動作を要求されるため、全体の作業時間も長くなっていた。
【００２６】
一方、図１９に示すＰＣ床板２００上に親綱２０３を配置し、この親綱２０３に安全帯を取り付ける手法においては、この手法を路面を掘削した開口部１０１に採用すると、親綱２０３が路面の開口部１０１を塞ぐこととなるため、作業員Ｓが梯子１０２側へ移動するとき等に障害となってしまう。
【００２７】
また、作業員Ｓが誤って落下したときに、作業員Ｓの体重をしっかりと支えてその落下を阻止するような大きな荷重に耐えられるような構成をそもそも備えていないため、梯子１０２を介した昇降時における作業員Ｓの安全を確保する手段としての安全ブロック１０３を設置する対象に成り得ないものである。
【００２８】
そこで、本発明は如上のような従来存した諸事情に鑑み創出されたもので、路面の開口部に安全ブロックを簡単且つ確実に取り付けて、梯子を介した昇降時における作業員の安全を確保すると共に、作業員が開口部側に位置しているに梯子側に移動するとき、また、作業員が梯子から離れるときに、無理な体勢を強いることのない、安全ブロック取付治具を提供することを目的とする。
【課題を解決するための手段】
【００３０】
本発明に係る安全ブロック取付治具は、路面における開口部の一端側に配置する基礎部材と、基礎部材に連設する安全ブロックの取り付け部材から成る安全ブロック取付具と、路面における開口部の他端側に配置する基礎部材と、基礎部材に連設する手摺部材から成る手摺治具と、路面における開口部間に配置されて、安全ブロック取付具の基礎部材と手摺治具の基礎部材を突っ張り状態にして固定するジャッキベース部材から構成され、安全ブロック取付具と手摺治具の基礎部材は、いずれも、台座板と、台座板の上面に固定した棒状体と、台座板の側面から下方に向けて延設した垂下板から形成され、路面における開口部の角部に、安全ブロック取付具の基礎部材と、手摺治具の基礎部材を対向するように設置し、両基礎部材の垂下板に、ジャッキベース部材の端部を圧接していることで、同じく上述した課題を解決した。
【００３１】
さらに、基礎部材の垂下板は、路面の開口部におけるアスファルト層を超えて路盤層に到達する長さを備えていることで、同じく上述した課題を解決した。
【００３２】
また、安全ブロックの取り付け部材は、所定の長さの垂設部材と、垂設部材の上端部に連設した横架部材から形成され、垂設部材の下端部分には、基礎部材を形成する棒状体を導入する長孔を有し、横架部材の先端部分には、安全ブロックの取付部を有することで、同じく上述した課題を解決した。
【００３３】
加えて、安全ブロックの取り付け部材は、安全ブロックの取付部に安全ブロックを吊り下げたとき、安全ブロックから引き出されているワイヤロープのフックが、作業員の装着している安全ベルトの部分に位置する高さを備えていることで、同じく上述した課題を解決した。
【００３４】
また、手摺治具の手摺部材は、所定の長さの垂設部材と、垂設部材に固定したコ字枠部材により全体として長方形となる枠状に形成され、垂設部材の下端部分には、基礎部材を形成する棒状体を導入する長孔を有し、垂設部材のコ字枠部材には、棒状の掴み部材を設けていることで、同じく上述した課題を解決した。
【００３５】
この他、安全ブロック取付具の垂設部材と、手摺治具の垂設部材を、棒状の補強杆により接続していることで、同じく上述した課題を解決した。
【発明の効果】
【００３６】
本発明に係る安全ブロック取付治具は、路面における開口部の一端側に配置する基礎部材と、基礎部材に連設する安全ブロックの取り付け部材から成る安全ブロック取付具と、路面における開口部間に配置されて、開口部の他端側と基礎部材の一部を突っ張り状態にして固定するジャッキベース部材から構成されていることから、路面の開口部において、安全ブロックを取り付ける安全ブロック取付治具を好ましい状態で固定できる。
【００３７】
具体的には、基礎部材は、台座板と、台座板の上面に固定した棒状体と、台座板の側面から下方に向けて延設した垂下板から形成され、基礎部材の台座板と垂下板を開口部の角部に設置した状態で、ジャッキベース部材の端部を垂下板に圧接していることから、路面の開口部の角部に基礎部材を確実に固定することができる。
【００３８】
また、本発明に係る安全ブロック取付治具は、路面における開口部の一端側に配置する基礎部材と、基礎部材に連設する安全ブロックの取り付け部材から成る安全ブロック取付具と、路面における開口部の他端側に配置する基礎部材と、基礎部材に連設する手摺部材から成る手摺治具と、路面における開口部間に配置されて、安全ブロック取付具の基礎部材と手摺治具の基礎部材を突っ張り状態にして固定するジャッキベース部材から構成されることから、路面の開口部において、安全ブロックを取り付ける安全ブロック取付具と、手摺治具を好ましい状態で固定できる。
【００３９】
具体的には、安全ブロック取付具と手摺治具の基礎部材は、いずれも、台座板と、台座板の上面に固定した棒状体と、台座板の側面から下方に向けて延設した垂下板から形成され、路面における開口部の角部に、安全ブロック取付具の基礎部材と、手摺治具の基礎部材を対向するように設置し、両基礎部材の垂下板に、ジャッキベース部材の端部を圧接していることから、路面の開口部の角部において、安全ブロック取付具の基礎部材と、手摺治具の基礎部材を確実に固定することができる。
【００４０】
さらに、基礎部材の垂下板は、路面の開口部におけるアスファルト層を超えて路盤層に到達する長さを備えていることから、ジャッキベース部材の端部を圧接したときに、路面の開口部において、基礎部材をより安定した状態で固定できる。
【００４１】
また、安全ブロックの取り付け部材は、所定の長さの垂設部材と、垂設部材の上端部に連設した横架部材から形成され、垂設部材の下端部分には、基礎部材を形成する棒状体を導入する長孔を有することから、路面の開口部の角部に固定されている基礎部材を形成している棒状体に垂設部材の長孔を当がい、長孔内に棒状体を導入したときには、基礎部材に安全ブロックの取り付け部材を確実に固定できる。
【００４２】
さらに、横架部材の先端部分には、安全ブロックの取付部を有することから、この取付部を介して、安全ブロックを吊り下げるように設置することができる。
【００４３】
また、安全ブロックの取り付け部材は、安全ブロックの取付部に安全ブロックを吊り下げたとき、安全ブロックから引き出されているワイヤロープのフックが、作業員の装着している安全ベルトの部分に位置する高さを備えていることから、作業員が路面の上に立っている状態で、安全ブロックのフックを安全ベルトに簡単に掛け止めすることができる。
【００４４】
この様に、本発明に係る安全ブロック取付治具によれば、従来のように路面の開口部全体を全て取り囲む柵を形成する必要が無いため、開口部に立て掛けている梯子の近傍を開放して、所謂作業員の出入り口を形成することが可能となる。このとき、梯子自体も、従来のように柵を形成する横架材に立て掛けていないことから、路面の開口部から上方に向けて長く突出させる必要が無く、梯子の上端部自体を開口部の近傍に固定することができる。
【００４５】
そして、この出入り口においては、柵を形成する横架材のような障害物が存在していないため、作業員が梯子側に移動するとき、作業員は足を上げて障害物を跨いだり、また、体を屈めて障害物を避けるような不自然な体勢を強いられることがなく、作業員の疲労を軽減することができる。また、作業員は、梯子側に迅速に移動することができる。
【００４６】
さらに、作業員が障害物を避けるような不自然な体勢を強いられることがないので、開口部に固定されている梯子に確実に足を掛け、また、梯子を確実に手で掴むことができ、誤って落下してしまう危険性を排除している。
【００４７】
また、梯子を昇ってきた作業員が柵の外側（路面側）に降りるときも、障害物を避けるような不自然な体勢を強いられることがなく、そのまま梯子から迅速に離れることができる。
【００４８】
この様に、本発明によれば、安全ブロックにより自身の安全を確保した上で、作業員は梯子側に迅速に移動することができ、また、梯子から迅速に離れることもできる。
【００４９】
加えて、安全ブロック取付具を、開口部の角部に固定することから、路面を掘削した開口部を必要以上に塞ぐことがない。また、安全ブロック取付具を開口部の角部に確実に固定することから、作業員が誤って落下したときに、安全ブロックにより作業員の体重をしっかりと支えてその落下を阻止することにより、梯子を介した昇降時における作業員の安全を確保することができる。
【００５０】
この他、路面の開口部において、安全ブロックを取り付ける安全ブロック取付具と、手摺治具を固定したときには、例えば、梯子を昇ってきた作業員は、安全ブロック取付具を右手で掴み、手摺治具を左手で掴んで、安定した状態で梯子から降りることができる。
【００５１】
同様に、作業員が梯子側に移動するときも、安全ブロックにより自身の安全を確保した上で、開口部側に背を向けた後ろ向きになり、安全ブロック取付具を右手で掴み、同時に手摺治具を左手で掴んで、安定した状態で梯子に足を掛け、その後、梯子を手で掴んで梯子側に迅速に移動できると共に、作業員が誤って落下してしまう危険性を排除している。
【００５２】
さらに、手摺治具の手摺部材は、所定の長さの垂設部材と、垂設部材に固定したコ字枠部材により全体として長方形となる枠状に形成され、垂設部材の下端部分には、基礎部材を形成する棒状体を導入する長孔を有することから、路面の開口部の角部に固定されている基礎部材を形成している棒状体に垂設部材の長孔を当がい、長孔内に棒状体を導入したときには、基礎部材に手摺部材を確実に固定できる。
【００５３】
また、垂設部材のコ字枠部材には、棒状の掴み部材を設けていることから、例えば、梯子を昇ってきた作業員は、安全ブロック取付具を右手で掴み、手摺治具の掴み部材を左手で掴んで、安定した状態で梯子から降りることができる。
【００５４】
同様に、梯子側に移動するときも、安全ブロックにより自身の安全を確保した上で、開口部側に背を向けた後ろ向きになり、安全ブロック取付具を右手で掴み、同時に手摺治具の掴み部材を左手で掴んで、安定した状態で梯子に足を掛け、その後、梯子を手で掴むことができる為、梯子側に迅速に移動できると共に、作業員が誤って落下してしまう危険性を排除している。
【００５５】
加えて、安全ブロック取付具の垂設部材と、手摺治具の垂設部材を、棒状の補強杆により接続していることから、路面における開口部の角部に配置している安全ブロック取付具と手摺治具の固定状態を堅牢に維持することができる。
【００５６】
また、この補強杆に梯子の上端部分を固定することにより、梯子が倒れてしまうような事態の発生を確実に防止できる。さらに、梯子の上方部分を開放して、所謂作業員の出入り口を形成することが可能となり、作業員の路面側から梯子側への迅速な移動と、梯子側から路面側への迅速な移動を実現している。
【図面の簡単な説明】
【００５７】
【図１】安全ブロック取付具と、手摺治具の使用状態を示す斜視図である。
【図２】安全ブロック取付具の構成を示す分解斜視図である。
【図３】安全ブロック取付具の構成を示す斜視図である。
【図４】安全ブロック取付具の構成を示す断面図である。
【図５】路面の開口部における安全ブロック取付具の固定状態を示す斜視図である。
【図６】手摺治具の構成を示す分解斜視図である。
【図７】手摺治具の構成を示す斜視図である。
【図８】路面の開口部に、手摺治具を配置した状態を示す斜視図である。
【図９】路面の開口部における手摺治具の固定状態を示す斜視図である。
【図１０】路面の開口部に、安全ブロック取付具と手摺治具を配置している状態を示す斜視図である。
【図１１】路面の開口部に、安全ブロック取付具と手摺治具を配置し、ジャッキベース部材の両端部により突っ張り状態にして固定している状態を示す斜視図である。
【図１２】ジャッキベース部材による突っ張り状態を説明したもので、（ａ）は安全ブロック取付具と手摺治具の間にジャッキベース部材を配置している状態を示す側面図、（ｂ）はジャッキベース部材の両端部により、安全ブロック取付具と手摺治具を突っ張り状態にして固定している状態を示す側面図である。
【図１３】安全ブロック取付具の基礎部材と、手摺治具の基礎部材を、補強杆により接続している状態を示す斜視図である。
【図１４】垂下板に複数の突起を設けている基礎部材と、ジャッキベース部材の突っ張り状態を示すもので、（ａ）は基礎部材の垂下板と、ジャッキベース部材の押圧体が離れている状態の分解斜視図、（ｂ）は基礎部材の垂下板に、ジャッキベース部材の押圧体が圧接している状態の斜視図である。
【図１５】路面の開口部に梯子を立て掛けている状態を示す斜視図である。
【図１６】安全ブロックの構成を示す斜視図である。
【図１７】路面の開口部の周囲に柵を設け、この柵に梯子を立て掛けている状態を示す斜視図である。
【図１８】路面の開口部の周囲に柵を設け、この柵に安全ブロックを取り付けて、作業員が梯子を昇降している状態を示す斜視図である。
【図１９】ＰＣ床板上に複数の柱体を固定し、各柱体の上端部に親綱を結び付け、この親綱に安全帯を取り付ける手法を示す側面図である。
【発明を実施するための形態】
【００５８】
以下に、本発明を実施するための形態を、図面を参照して詳細に説明する。
【００５９】
本発明は、図１１・図１２（ａ）（ｂ）に示すように、路面における開口部１０１の一端側に配置する基礎部材２０と、基礎部材２０に連設する安全ブロックの取り付け部材４から成る安全ブロック取付具４０と、路面における開口部１０２間に配置されて、開口部１０２の他端側と基礎部材２０の一部を突っ張り状態にして固定するジャッキベース部材３０から構成される、安全ブロック取付治具１である。
【００６０】
また、安全ブロック取付治具１は、同図に示すように、手摺治具７０を追加して、手摺治具７０を備えた安全ブロック取付治具１を構成すると、より好ましいものとなる。
【００６１】
安全ブロック取付具４０を形成する基礎部材２０は、路面における開口部１０２の角部に設置するもので、図２に示すように、長方形状の台座板２１と、台座板２１の上面における略中央部分に固定した棒状体２２と、台座板２１の長手方向における一側面から下方に向けて延設した長方形状の垂下板２３から形成されている。
【００６２】
この基礎部材２０の垂下板２３は、図１２（ａ）（ｂ）に示すように、基礎部材２０を路面における開口部１０２の角部に設置したときに、アスファルト層Ａを超えて路盤層Ｔに到達する長さを備えている。
【００６３】
棒状体２２は、安全ブロックの取り付け部材４を連設できる強度を有するものであれは、例えば、円筒状や円柱状等のいずれであっても良い。
【００６４】
基礎部材２０の棒状体２２に連設する安全ブロック１０３の取り付け部材４は、図２・図３に示すように、所定の長さの垂設部材２と、垂設部材２の上端部に連設した、垂設部材２よりも短尺な横架部材３から形成されている。
【００６５】
横架部材３は、垂設部材２に対して９０度の角度を維持するように固定されている。また、横架部材３の先端部分には、安全ブロック１０３の取付部５を有している。この取付部５は、図４に示すように、リング部分と、このリング部分に固定した雄ネジ棒部分６により形成されている。
【００６６】
そして、横架部材３の先端部分に設けた所定の孔に雄ネジ棒部分６を下側から挿入し、雄ネジ棒部分６の先端を横架部材３の上部から突出させた状態で、ナット部材7を螺合させて横架部材３に取付部５を固定している。
【００６７】
この取付部５に、安全ブロック１０３の固定リング１０７を掛け止めしたとき、安全ブロック１０３の取り付け部材４は、図１１に示すように、片持ち梁形式により安全ブロック１０３を吊り下げて設置することとなる。
【００６８】
この他、安全ブロック１０３の取り付け部材４を形成する垂設部材２の周面には、Ｕ字状に形成された複数のフック８が固定されている。
【００６９】
また、垂設部材２の下端部分には、図２に示すように、基礎部材２０を形成する棒状体２２を導入する長孔９を有している。この長孔９は、図４に示すように、垂設部材２と横架部材３の全体を筒状に形成し、垂設部材２の下部分における筒状の内周部を長孔９として利用している。
【００７０】
そして、図２・図３に示すように、基礎部材２０を形成している棒状体２２に垂設部材２の下端部分を当がい、長孔９内に棒状体２２を導入して、基礎部材２０に安全ブロックの取り付け部材４を取り付けるのである。
【００７１】
また、図２に示すように、垂設部材２の下部分には、２個のネジ孔１０を設けている。このネジ孔１０は、所定のボルト１１をねじ込む部分である。そして、図３・図４に示すように、垂設部材２の長孔９内に棒状体２２を導入した状態において、垂設部材２のネジ孔１０にボルト１１をねじ込んで、ボルト１１の先端を棒状体２２に当接させることにより、基礎部材２０の棒状体２２に垂設部材２を確実に固定するのである。
【００７２】
さらに、基礎部材２０に連設した安全ブロックの取り付け部材４は、横架部材３の取付部５に安全ブロック１０３を吊り下げたとき、安全ブロック１０３から引き出されているワイヤロープ１０４のフック１０５が、作業員Ｓの装着している安全ベルト１１２の部分に位置する高さを備えていることから、作業員Ｓが路面に立っている状態で、安全ブロック１０３のフック１０５を安全ベルト１１２に簡単に掛け止めすることができる。
【００７３】
そして、図１１・図１２（ａ）に示すように、基礎部材２０の台座板２１と垂下板２３を開口部１０１の角部に設置した状態で、開口部１０１にジャッキベース部材３０を配置して、基礎部材２０を開口部１０１に固定する。
【００７４】
ジャッキベース部材３０は、図１１・図１２（ａ）に示すように、所定の長さのメインパイプ３１と、メインパイプ３１の両端部に配置した押圧体３２により構成されている。
【００７５】
メインパイプ３１の両端側部分は、筒状に形成されている。このメインパイプ３１の両端部には、ハンドル３３を有する回転操作部３４が設けられている。回転操作部３４の内周面には、雌ネジが設けられている。
【００７６】
押圧体３２は、例えば、四角形状の平板３５と、この平板３５に固定した棒状の雄ネジ部材３６により形成されている。この押圧体３２の雄ネジ部材３６は、メインパイプ３１の両端部に、進退自在に取り付けられている。
【００７７】
具体的には、メインパイプ３１における回転操作部３４の雌ネジ部分に押圧体３２の雄ネジ部材３６を螺合させた状態で、雄ネジ部材３６の全体をメインパイプ３１の端部に収容している。
【００７８】
その為、回転操作部３４を回転させる操作により、押圧体３２の雄ネジ部材３６が、メインパイプ３１から突出する方向に移動する。また、回転操作部３４を逆回転させる操作により、押圧体３２の雄ネジ部材３６が、メインパイプ３１に収容される方向に移動することも可能となっている。
【００７９】
このジャッキベース部材３０を用いて、基礎部材２０を開口部１０１に固定する。このとき、基礎部材２０は、図１１・図１２（ａ）に示すように、台座板２１が路面に載置され、垂下板２３が開口部１０１の垂壁に当接している。また、垂下板２３は、アスファルト層Ａを超えて路盤層Ｔにまで到達している。
【００８０】
この状態で、図１２（ａ）に示すように、開口部１０１にジャッキベース部材３０を配置し、ジャッキベース部材３０の一端側に位置している押圧体３２の平板３５を開口部１０１の垂壁に当がい、ジャッキベース部材３０の他端側に位置している押圧体３２の平板３５を基礎部材２０の垂下板２３に当がう。
【００８１】
次に、ジャッキベース部材３０の回転操作部３４をハンドル３３を介して回転させて、押圧体３２の雄ネジ部材３６を、メインパイプ３１から突出する方向に強制的に移動させる。
【００８２】
その結果、図１２（ｂ）に示すように、個々の押圧体３２の平板３５が、開口部１０１の垂壁と基礎部材２０の垂下板２３に圧接し、所謂突っ張り状態となって、開口部１０１の角部に基礎部材２０が確実に固定されるのである。
【００８３】
この様に、本発明に係る安全ブロック取付治具１は、基礎部材２０と、基礎部材２０に連設する安全ブロックの取り付け部材４から成る安全ブロック取付具４０と、ジャッキベース部材３０から構成されるものであるが、図１１・図１２（ａ）（ｂ）に示すように、手摺治具７０を備えていると、より好ましいものとなる。
【００８４】
手摺治具７０は、路面における開口部１０１の他端側に配置する基礎部材２０と、基礎部材２０に連設する手摺部材５０から構成されている。
【００８５】
手摺治具７０の基礎部材２０は、図８に示すように、路面における開口部１０２の角部に設置するもので、図６・図７に示すように、台座板２１と、台座板２１の上面に固定した棒状体２２と、台座板２１の一側面から下方に向けて延設した垂下板２３から形成されている。
【００８６】
この基礎部材２０の垂下板２３は、図８・図１２（ａ）（ｂ）に示すように、基礎部材２０を路面における開口部１０２の角部に設置したときに、アスファルト層Ａを超えて路盤層Ｔに到達する長さを備えている。
【００８７】
尚、手摺治具７０の基礎部材２０の構成は、前記した安全ブロック取付具４０の基礎部材２０の構成と同一であることから、両者に同一の符号を付すことにより、その説明を省略する。
【００８８】
基礎部材２０に連設する手摺部材５０は、図６・図７に示すように、所定の長さの垂設部材５１と、垂設部材５１に固定したコ字枠部材により全体として長方形となる枠状に形成されている。
【００８９】
コ字枠部材は、垂設部材５１の上端部及び下部分から側方に延設された横架部材５２と、横架部材５２の端部同士を連設する縦部材５３により形成されている。また、垂設部材５１のコ字枠部材には、棒状の掴み部材５４を設けている。
【００９０】
この掴み部材５４は、図６・図７に示すように、所定の長さを有する傾斜部材５５を備え、その下端部において、側方に延設された横架部材５６を有している。この横架部材５６の先端部には、上方に向けて折曲した設続片５７を設けている。また、傾斜部材５５は、その上端部において、側方に延設された短尺な横架部材５８を有している。この横架部材５８の先端部には、下方に向けて折曲した設続片５９を設けている。
【００９１】
そして、掴み部材５４の設続片５７・５９をコ字枠部材の縦部材５３に固定して、垂設部材５１に掴み部材５４を取り付けている。
【００９２】
また、垂設部材５１の縦部材５３には、所定のリング部材６０が取り付けられている。
【００９３】
さらに、手摺部材５０を構成する垂設部材５１の下端部分には、図６に示すように、基礎部材２０を形成する基礎部材２０を形成する棒状体２２導入する長孔６１を有している。
【００９４】
この長孔６１は、垂設部材５１の全体を筒状に形成し、垂設部材５１の下部分における筒状の内周部を長孔６１として利用している。
【００９５】
そして、図６・図７に示すように、基礎部材２０を形成している棒状体２２に垂設部材５１の下端部分を当がい、長孔６１内に棒状体２２を導入して、基礎部材２０に手摺部材５０を取り付けるのである。
【００９６】
また、図６に示すように、垂設部材５１の下部分には、２個のネジ孔１０を設けている。そして、図６・図７に示すように、垂設部材５１の長孔６１内に棒状体２２を導入した状態において、垂設部材５１のネジ孔１０にボルト１１をねじ込んで、ボルト１１の先端を棒状体２２に当接させることにより、基礎部材２０の棒状体２２に垂設部材５１を確実に固定するのである。
【００９７】
以下に、路面の開口部１０１に、安全ブロック取付治具１と、手摺治具７０を組み付ける手順を説明する。
【００９８】
まず、路面の開口部１０１において、その角部に、２組の基礎部材２０を、所定の間隔を開けて対向するように設置する。
【００９９】
次に、図１０に示すように、一方の基礎部材２０に安全ブロック１０３の取り付け部材４を連設し、他方の基礎部材２０に手摺部材５０を連設する。このとき、安全ブロック１０３の取り付け部材４の横架部材３と、手摺部材５０の上方に位置する横架部材５２が、互いに内側を向いて向かい合うようにする。
【０１００】
次に、図１１に示すように、安全ブロック取付具４０を構成する基礎部材２０と、手摺治具７０を構成する基礎部材２０の間にジャッキベース部材３０を配置し、ジャッキベース部材３０の押圧体３２より、両基礎部材２０・２０を突っ張り状態にして固定する。
【０１０１】
具体的には、まず、図１２(ａ)に示すように、両基礎部材２０の間にジャッキベース部材３０を配置する。次に、図１２(ｂ)に示すように、ジャッキベース部材３０の一端側の押圧体３２の平板３５を、手摺治具７０を構成する基礎部材２０の垂下板２３に当がい、ジャッキベース部材３０の他端側の押圧体３２の平板３５を、安全ブロック取付具４０を構成する基礎部材２０の垂下板２３に当がう。
【０１０２】
次に、ジャッキベース部材３０の回転操作部３４を、ハンドル３３を介して回転させて、押圧体３２の雄ネジ部材３６を、メインパイプ３１から突出する方向に強制的に移動させる。
【０１０３】
その結果、個々の押圧体３２の平板３５が、手摺治具７０を構成する基礎部材２０の垂下板２３と、安全ブロック取付具４０を構成する基礎部材２０の垂下板２３に圧接し、所謂突っ張り状態となって、開口部１０１の角部にそれぞれ設置されている基礎部材２０・２０が確実に固定されるのである。
【０１０４】
このとき、図１４(ａ)に示すように、基礎部材２０の垂下板２３に４個の突起１２を設ける一方、ジャッキベース部材３０の押圧体３２の平板３５に４個の孔１３を設け、図１４図（ｂ）に示すように、垂下板２３の突起１２を押圧体３２の平板３５の孔１３に挿入できる状態にすると、ジャッキベース部材３０の個々の平板３５を基礎部材２０の垂下板２３に当がったときに、ジャッキベース部材３０が落下することが無く、好ましいものとなる。
【０１０５】
具体的には、ジャッキベース部材３０の個々の平板３５を基礎部材２０の垂下板２３に当がってから、ジャッキベース部材３０の回転操作部３４をハンドル３３を介して回転させて、個々の平板３５を、手摺治具７０を構成する基礎部材２０の垂下板２３と、安全ブロック取付具４０を構成する基礎部材２０の垂下板２３に圧接する作業を円滑に行うことができる。
【０１０６】
そして、取り付け部材４の横架部材３に、安全ブロック１０３を吊り下げるようにして取り付ける。
【０１０７】
次に、図１３に示すように、安全ブロック取付具４０の垂設部材２と、手摺治具７０の垂設部材５１を、棒状の補強杆８０により接続する。
【０１０８】
この補強杆８０は、その両端部が所定のクランプ１０９を介して、両垂設部材２・５１に固定されて、安全ブロック取付具４０の垂設部材２と、手摺治具７０の垂設部材５１それぞれの下方部分を、強固に接続するものである。
【０１０９】
次に、図１に示すように、補強杆８０に梯子１０２の上端部分を立て掛けて、ベルト等を用いて補強杆８０に梯子１０２を固定する。
【０１１０】
この様な作業に付随して、路面の開口部１０１の周囲に複数の立設柱１０８を固定し、所定のクランプ１０９を介して、各立設柱１０８間に横架材１１０を取り付けて全体の柵を形成する。
【０１１１】
そして、図１に示すように、横架材１１０の端部を、所定のクランプ１０９を介して、安全ブロック取付具４０の垂設部材２に固定する。また、他の横架材１１０の端部を、所定のクランプ１０９を介して、手摺治具７０の垂設部材５１に固定する。
【０１１２】
この様にして、図１に示すように、補強杆８０に立て掛けている梯子１０２の近傍を開放して、所謂作業員Ｓの出入り口を形成することとなる。
【０１１３】
そして、作業員Ｓが梯子１０２側に移動するときは、図１に示すように、安全ブロック１０３のフック１０６を自らが装着している安全ベルト１１２に掛け止めして、自身の安全を確保した上で、開口部１０２側に背を向けた後ろ向きになり、安全ブロック取付治具１を右手で掴み、同時に手摺治具７０を左手で掴んで、体を支えた安定した状態で梯子１０２に足を掛け、その後、梯子１０２を手で掴むことができ、梯子１０２側に迅速に移動できる。
【０１１４】
また、梯子１０２を昇ってきた作業員Ｓが路面側に降りるときも、安全ブロック取付治具１を右手で掴み、同時に手摺治具７０を左手で掴んで、体を引き上げるようにして、歩くような状態で梯子１０２から迅速に降りることができる。
【産業上の利用可能性】
【０１１５】
本発明に係る路面における開口部用の安全ブロック取付治具は、様々な路面の開口部において、安全ブロックにより自身の安全を確保した上で、作業員が迅速に梯子側に移動し、また、迅速に梯子から離れることができるものとして、幅広く利用することができる。
【符号の説明】
【０１１６】
Ｓ…作業員
Ａ…アスファルト層
Ｔ…路盤層
１…安全ブロック取付治具
２…垂設部材
３…横架部材
４…安全ブロックの取り付け部材
５…取付具
６…雄ネジ棒部分
７…ナット部材
８…フック
９…長孔
１０…ネジ孔
１１…ボルト
１２…突起
１３…孔
２０…基礎部材
２１…台座板
２２…棒状体
２３…垂下板
３０…ジャッキベース部材
３１…メインパイプ
３２…押圧体
３３…ハンドル
３４…回転操作部
３５…平板
３６…雄ネジ部材
４０…安全ブロック取付具
５０…手摺部材
５１…垂設部材
５２…横架部材
５３…縦部材
５４…掴み部材
５５…傾斜部材
５６…横架部材
５７…設続片
５８…横架部材
５９…設続片
６０…リング部材
６１…長孔
７０…手摺治具
８０…補強杆
１０１…開口部
１０２…梯子
１０３…安全ブロック
１０４…ワイヤロープ
１０５…ケース本体
１０６…フック
１０７…固定リング
１０８…立設柱
１０９…クランプ
１１０…横架材
１１１…ベルト部材
１１２…安全ベルト
２００…ＰＣ床板
２０１…ボルト部材
２０２…柱体
２０３…親綱
【図１】
0005483099.tif 000002
【図２】
0005483099.tif 000003
【図３】
0005483099.tif 000004
【図４】
0005483099.tif 000005
【図５】
0005483099.tif 000006
【図６】
0005483099.tif 000007
【図７】
0005483099.tif 000008
【図８】
0005483099.tif 000009
【図９】
0005483099.tif 000010
【図１０】
0005483099.tif 000011
【図１１】
0005483099.tif 000012
【図１２】
0005483099.tif 000013
【図１３】
0005483099.tif 000014
【図１４】
0005483099.tif 000015
【図１５】
0005483099.tif 000016
【図１６】
0005483099.tif 000017
【図１７】
0005483099.tif 000018
【図１８】
0005483099.tif 000019
【図１９】
0005483099.tif 000020